(57)【要約】【課題】  準備段階における複数ゲームに優劣を設定しない、つまり同位に設定した条件下において、複数のゲームに必要なゲーム盤、備品を全て収納することができ、利便性の向上を図ることができるゲーム用テーブルの提供を目的とする。【解決手段】  テーブル本体２と、該テーブル本体上部に表裏反転可能に上載された天板とを備えてなるゲーム用テーブルであって、上記テーブル本体２の上面中間部にはゲーム盤１３を着脱可能に嵌合し、上記テーブル本体２の上面周辺部にはゲーム用の備品５１，５２，５３，５４，５５，５６を収納する収納部１９，２０，２１，２２，２３が設けられたことを特徴とする。【選択図】  図４
2006230477.tif 000002
【特許請求の範囲】
【請求項１】
テーブル本体と、該テーブル本体上部に表裏反転可能に上載された天板とを備えてなるゲーム用テーブルであって、
上記テーブル本体の上面中間部にはゲーム盤を着脱可能に嵌合し、
上記テーブル本体の上面周辺部にはゲーム用の備品を収納する収納部が設けられた
ゲーム用テーブル。
【請求項２】
上記ゲーム盤はテーブル本体の上面と面一に嵌合された
請求項１記載のゲーム用テーブル。
【請求項３】
上記収納部は、上方が開放する有底形状に形成され、上方開放部には閉成時にテーブル本体の上面と面一になる蓋が設けられた
請求項１記載のゲーム用テーブル。
【請求項４】
上記天板は一方側の面が麻雀用に設定され、他方側の面がテーブルに設定された
請求項１記載のゲーム用テーブル
【発明の詳細な説明】
【技術分野】
【０００１】
この発明は、１台のテーブルで麻雀、囲碁、将棋などの複数種類のゲームを楽しむことができるように成したゲーム用テーブルに関する。
【背景技術】
【０００２】
従来、上述例のゲーム用テーブルとしては特許文献１または特許文献２に記載されたものがある。  
上述の特許文献１に記載された麻雀卓は、合計４本の支持脚の上部に卓主体を設け、この卓主体の一つの片面を麻雀用に設定し、他の一つの片面を通常のテーブル面に設定すると共に、卓主体の麻雀用の面には、リバーシブル構造により囲碁および将棋を行なうことができるゲーム盤と、リバーシブル構造によりおはじきゲームおよび双六ゲームを行なうことができるゲーム盤とを嵌合する窪みが凹設され、卓主体の麻雀用の面の上記窪みを囲繞する部分にはゲーム時に点棒を納める点棒置きを凹設したものである。
【０００３】
しかし、この特許文献１で開示された麻雀卓においては、非ゲーム時に麻雀の牌、点棒、囲碁の碁石、将棋の駒などの備品を収納する収納部が存在しないことは勿論、麻雀卓であるにも拘らず、麻雀を楽しむ際には上述の２種のゲーム盤を窪みから取外して始めて麻雀用の面が現出するものであり、使用者の嗜好にかかわらず準備段階における複数ゲームの優劣が設定されている問題点があった。
【０００４】
また、特許文献２に記載されたテーブル兼用の麻雀卓は、中央支柱で支持された麻雀卓台を設け、この麻雀卓台の上面を麻雀遊技板に設定すると共に、この麻雀遊技板の上面には、リバーシブル構造により囲碁および将棋を行なうことができる遊技板を上載格納し、さらに麻雀卓台の上部にはテーブル板を着脱可能に載置したものである。
【０００５】
しかし、この特許文献２に開示された麻雀卓においても、先の特許文献１と同様に、麻雀卓であるにも拘らず、麻雀を楽しむ際には一旦、テーブル板を取外した後に、麻雀遊技板上面に格納された囲碁、将棋用の遊技板を取外して始めて麻雀用の面が現出するものであり、使用者の嗜好にかかわらず準備段階における複数ゲームの優劣が設定されている問題点があった。
【特許文献１】実公昭４７−７６０１号公報
【特許文献２】実公昭５０−１３１８１号公報
【発明の開示】
【発明が解決しようとする課題】
【０００６】
そこで、この発明は、準備段階における複数ゲームに優劣を設定しない、つまり同位に設定した条件下において、複数のゲームに必要なゲーム盤、備品を全て収納することができ、利便性の向上を図ることができるゲーム用テーブルの提供を目的とする。
【課題を解決するための手段】
【０００７】
この発明によるゲーム用テーブルは、テーブル本体と、該テーブル本体上部に表裏反転可能に上載された天板とを備えてなるゲーム用テーブルであって、上記テーブル本体の上面中間部にはゲーム盤を着脱可能に嵌合し、上記テーブル本体の上面周辺部にはゲーム用の備品を収納する収納部が設けられたものである。
【０００８】
上述のゲーム盤の嵌合位置は、テーブル本体の中央または略中央が望ましい。またテーブル本体に設けられる収納部は異種のゲーム数に対応した複数に設定することができる。さらにゲーム用の備品としては、麻雀の牌、点棒、囲碁の碁石、将棋の駒、オセロゲームのオセロ石、チェスの駒、トランプ、かるた、花札などのカードゲームの札などに設定することができる。
【０００９】
上記構成によれば、テーブル本体上部の天板を取外すと、テーブル本体の上面中間部にはゲーム盤が現出し、その周辺部にはゲーム用の備品を収納した収納部が現出する。このため、使用者はゲーム盤または／および収納部のゲーム用の備品を取出して希望するゲームを楽しむことができる。
【００１０】
このように、準備段階における複数ゲームに優劣を設定しない、すなわち、同位に設定した条件下において、使用者の嗜好に応じたゲームを楽しむことができると共に、複数のゲームに必要なゲーム盤、備品を全て平面状に収納することができる。
【００１１】
この発明の一実施態様においては、上記ゲーム盤はテーブル本体の上面と面一に嵌合されたものである。  
上記構成によれば、ゲーム盤をテーブル本体上面と面一に嵌合したので、テーブル本体の全高のコンパクト化を図ることができる。
【００１２】
この発明の一実施態様においては、上記収納部は、上方が開放する有底形状に形成され、上方開放部には閉成時にテーブル本体の上面と面一になる蓋が設けられたものである。  
上記構成によれば、収納部の上方を閉塞する蓋がテーブル本体上面と面一になるので、テーブル本体の全高のコンパクト化を図りつつ、収納部に収納されたゲーム用の備品を蓋にて保護することができる。
【００１３】
この発明の一実施態様においては、上記天板は一方側の面が麻雀用に設定され、他方側の面がテーブルに設定されたものである。  
上述の一方側の面（麻雀用の面）は、水等をはじくように、樹脂加工された不織布を敷設して構成することが望ましく、他方側の面（テーブル面）は化粧板で構成してもよい。  
上記構成によれば、天板の表裏反転により通常のテーブルとしての使用と、麻雀用台としての使用との両立を図ることができる。
【発明の効果】
【００１４】
この発明によれば、準備段階における複数ゲームに優劣を設定しない、つまり同位に設定した条件下において、複数のゲームに必要なゲーム盤、備品を全て収納することができ、利便性の向上を図ることができる効果がある。
【発明を実施するための最良の形態】
【００１５】
準備段階における複数ゲームを同位に設定した条件下において、複数ゲームに必要なゲーム盤、備品を全て収納し、利便性の向上を図るという目的を、テーブル本体と、該テーブル本体上部に表裏反転可能に上載された天板とを備えてなるものにおいて、テーブル本体の上面中間部にゲーム盤を着脱可能に嵌合し、その上面周辺部には、ゲーム用の備品が収納される収納部を設けるという構成にて実現した。
【実施例】
【００１６】
この発明の一実施例を以下図面に基づいて詳述する。  
図面はゲーム用テーブルを示し、図１において、このゲーム用テーブル１は、平面視方形状のテーブル本体２と、このテーブル本体２の上部に表裏反転可能に上載された天板３と、上述のテーブル本体２の四隅部下面に設けられ、該テーブル本体２を支持する折り畳み及び伸縮可能な支持脚４とを備えている。
【００１７】
上述の天板３は、その一方側の面が麻雀用の面５に設定され、他方側の面がテーブル面６に設定されている。ここで、上述の麻雀用の面５は水等をはじくように、樹脂加工された不織布を一体的に敷設して構成され、テーブル面６は化粧板で構成してもよい。
【００１８】
また上述の天板３の四辺の周辺部７は、図２、図３にも示すように、麻雀用の面５およびテーブル面６よりも上下双方に突出すべく段差部８，９を有し、この天板３をテーブル本体２に上載した時、一側の段差部９または他側の段差部８で該天板３の位置決めを行なって、天板３が前後左右方向に位置ずれしないように構成している。
【００１９】
図２に示すように、上述の天板３の麻雀用の面５と対応する周辺部７には、ゲーム時に麻雀の点棒等５２（図４参照）を収納する収納ハウジング１０を各辺に埋設している。この収納ハウジング１０は点棒５２等の取出し性を考慮して、樹脂等の材料により断面円弧状に形成され、収納部１１を複数に仕切る仕切り部１２を有すると共に、収納ハウジング１０の上端面が周辺部７の上面と面一になるように埋設されている。
【００２０】
図４はテーブル本体２の構造を示す斜視図で、このテーブル本体２の上面中間部としての上面中央部にはゲーム盤１３が着脱可能に嵌合されている。  
ゲーム盤１３は図５、図６に示すように、その１つの片面１３ａには囲碁用の碁譜が形成され、他の片面１３ｂには将棋用の将棋が形成されており、リバーシブル構造により囲碁および将棋を行なうことができる。
【００２１】
図７は図４のＡ−Ａ線矢視断面図であって、上述のテーブル本体２は上面板１４と下面板１５とを備え、図４、図７に示すようにゲーム盤１３を着脱可能に嵌合する上面板１４との中央部には、盤形状に対応した方形の切欠き１６が形成されると共に、この切欠き１６の口縁に沿ってゲーム盤１３を支えるように、上面板１４と下面板１５との間には支持板１７が取付けられている。
【００２２】
この支持板１７は切欠き１６の口縁よりも内方へ突出した突出部上端で、ゲーム盤１３の下部四辺を支えるもので、このゲーム盤１３はテーブル本体２の上面つまり上面板１４の上面と面一に嵌合される。
【００２３】
面一に勘合したゲーム盤１３を取出すために、該ゲーム盤１３の中央部と対応する上面板１４の少なくとも一箇所（この実施例では２箇所）には、使用者の指先が入る半円状の凹部１８を上記切欠き１６の口縁に沿って形成している。
【００２４】
この半円状の凹部１８は、上面板１４を完全に切欠くことなく、所定肉厚を残して凹状に切欠かれたもので、テーブル本体２内へのゴミ等の異物侵入を防止すると共に、見栄えの向上を図るものである。
【００２５】
図４に示すように、上述のテーブル本体２の上面周辺部には、ゲーム用の備品を収納する複数の収納部１９，２０，２１，２２，２３が設けられている。  
１つの収納部１９はケース５０に格納された麻雀の牌５１を、ケース５０のまま上下２段かつ２列状に収納すると共に、複数の点棒５２を収納するためのものである。
【００２６】
他の１つの収納部２０囲碁で用いる碁石５３（黒石または白石）を収納するためのものであり、さらに他の１つの収納部２１は囲碁で用いる碁石５４（白石または黒石）を収納するためのものである。なお、碁石５３，５４の一方は黒石であるが、図面では図示の便宜上、何れも白抜きで示している。
【００２７】
さらに他の１つの収納部２２はトランプ、花札、かるた等のカードゲームの一例としてのトランプカード５５をカードケースに格納したまま収納するためのものであり、残りの１つの収納部２３は将棋で用いる複数種類の駒５６を一括して収納するためのものである。
【００２８】
図８は図４のＢ−Ｂ線矢視断面図であって、収納部１９の構造を示すものである。  
この収納部１９は、上面板１４に方形状の切欠き１９ａを形成し、この切欠き１９ａに沿って蓋２４を支えるように、上面板１４と下面板１５との間に支持板２５を取付けている。
【００２９】
この支持板２５は切欠き１９ａよりも内方へ突出した突出部上端で、蓋２４の下部四辺を支えるものである。つまり、収納部１９は、上方が開放する有底箱形に形成され、上方開放部には図８に示す如く、その閉成時にテーブル本体二の上面すなわち上面板１４の上面と面一になる蓋２４が着脱可能に設けられたものである。
【００３０】
テーブル本体２の上面と面一になる蓋２４を取外すために、該蓋２４の一辺中央部には、使用者の指先が入る半円状の凹部２４ａを形成している。この半円状の凹部２４ａは、蓋２４を完全に切欠くことなく、所定肉厚を残して凹状に切欠かれたもので、収納部１９内へのゴミ等の異物侵入を防止すると共に、見栄えの向上を図るものである。
【００３１】
図９は図４のＣ−Ｃ線矢視断面図であって、収納部２１の構造を示すものである。  
この収納部２１は、上面板１４に方形状の切欠き２１ａを形成し、この切欠き２１ａに沿って蓋２６を支えるように、上面板１４と下面板１５との間に支持板２５を取付けている。
【００３２】
この支持板２５は切欠き２１ａよりも内方へ突出した突出部上端で、蓋２６の下部四辺を支えるものである。つまり、収納部２１は、上方が開放する有底箱形に形成され、上方開放部には図９に示す如く、その閉成時にテーブル本体２の上面すなわち上面板１４の上面と面一になる蓋２６が着脱可能に設けられたものである。
【００３３】
テーブル本体２の上面と面一になる蓋２６を取外すために、該蓋２６の一辺中央部には、使用者の指先が入る半円状の凹部２６ａを形成している。この半円状の凹部２６ａは、蓋２６を完全に切欠くことなく、所定肉厚を残して凹状に切欠かれたもので、収納部２１内へのゴミ等の異物侵入を防止すると共に、見栄えの向上を図るものである。  
なお、他の収納部２０，２２，２３についても図８、図９で示した収納部１９，２１と同様の構造に形成されている。
【００３４】
すなわち、これらの各収納部２０，２２，２３は図４に示すように、切欠き部２０ａ，２２ａ，２３ａにより上方が開放する有底箱型に形成され、上方開放部には閉成時にテーブル本体２の上面（つまり上面板１４の上面）と面一になる蓋２７，２８，２９が着脱可能に設けられると共に、これらの各蓋２７，２８，２９にも上述同様にして半円状の凹部２７ａ，２８ａ，２９ａが形成されている。
【００３５】
なお、図４で示した各蓋２４，２６，２７，２８，２９の半円状の凹部２４ａ，２６ａ，２７ａ，２８ａ，２９ａは、蓋側に形成する構造に代えて、上面板１４側に形成してもよいことは勿論であり、碁石５３，５４を収納する収納部２０，２１は上方が開放した有底円筒状に形成してもよい。
【００３６】
このように、図１〜図９で示した実施例のゲーム用テーブル（ゲーム用多目的テーブル）は、テーブル本体２と、このテーブル本体２の上部に表裏反転可能に上載された天板３とを備えてなるゲーム用テーブルであって、上記テーブル本体２の上面中間部（この実施例では上面中央部）にはゲーム盤１３を着脱可能に嵌合し、上記テーブル本体２の上面周辺部にはゲーム用の備品（牌５１、点棒５２、碁石５３，５４、トランプカード５５、将棋の駒５６参照）を収納する複数の収納部１９〜２３が設けられたものである。
【００３７】
この構成によれば、テーブル本体２の上部の天板３を取外すと、テーブル本体２の上面中間部にはゲーム盤１３が現出し、その周辺部にはゲーム用の備品５１〜５６をゲーム種類別に区分して収納した収納部１９〜２３が現出する。このため、使用者はゲーム盤１３または／および収納部１９〜２３のゲーム用の備品５１〜５６を選択して取出して希望するゲームを楽しむことができる。
【００３８】
この結果、準備段階における複数ゲーム（麻雀、囲碁、将棋、カードゲーム参照）に優劣を設定しない、すなわち、同位に設定した条件下において、使用者の嗜好に応じたゲームを楽しむことができると共に、複数のゲームに必要なゲーム盤１３、備品５１〜５６を全て平面状に収納することができる。したがって、上記実施例のゲーム用テーブルは複数のゲームを楽しむ多目的テーブルとして有効である。
【００３９】
また、上記ゲーム盤１３はテーブル本体２の上面と面一に嵌合されたものである。  
この構成によれば、ゲーム盤１３をテーブル本体２の上面と面一に嵌合したので、テーブル本体２の全高のコンパクト化を図ることができる。
【００４０】
さらに、上記収納部１９〜２３は、その上方が開放する有底形状（有底箱形状または有底円筒状）に形成され、上方開放部には閉成時にテーブル本体２の上面と面一になる蓋２４，２６，２７，２８，２９が着脱可能または開閉可能に設けられたものである。  
この構成によれば、収納部１９〜２３の上方を閉塞する蓋２４，２６〜２９がテーブル本体２の上面と面一になるので、テーブル本体２の全高のコンパクト化を図りつつ、収納部１９〜２３に収納されたゲーム用の備品５１〜５６をゴミ等の異物侵入から蓋２４，２６〜２９にて保護することができる。
【００４１】
加えて、上記天板３は一方側の面５が麻雀用に設定され、他方側の面６がテーブルに設定されたものである。  
この構成によれば、天板３の表裏反転により通常のテーブルとしての使用と、麻雀用台としての使用との両立を図ることができる。
【００４２】
図１０は収納部の他の実施例を示し、図８、図９で示した先の実施例においては、テーブル本体２の上面板１４と下面板１５との間に支持板２５，２７を取付けて収納部１９，２１を形成したが、図１０に示すこの実施例においては、底部３０ａ、側壁部３０ｂ、蓋支持用の段部３０ｃを備え、上方が開放する有底形状の収納部材３０を設け、この収納部材３０を上記切欠き２１ａからテーブル本体２内に埋設し、該収納部材３０の周辺部上端が上面板１４の上面と面一になるように構成し、この収納部材３０の内部を収納部２１に設定したものである。
【００４３】
図１０で示した収納部２１の構造を、図４の各収納部１９，２０，２１，２２，２３に採用してもよく、このように構成しても、その他の構成、作用、効果については先の実施例と同様であるから、図１０において前図と同一の部分には同一符号を付して、その詳しい説明を省略する。
【００４４】
図１１は蓋構造の他の実施例を示し、図４で示した先の実施例においては、蓋２４，２６，２７，２８，２９の一辺に凹部２４ａ，２６ａ，２７ａ，２８ａ，２９ａを設けて、蓋を容易に取外すことができるように構成したが、図１１に示すこの実施例においては蓋２６の中間部、望ましくは中央部に窪み２６ｂを凹設し、この窪み２６ｂの中央部から上方に向けて蓋２６の上面と面一になる位置までネック部２６ｃと頭部２６ｄとを有する把持部２６ｅを一体または一体的に設けたものである。
【００４５】
図１１で示した蓋２６の構造を、図４の各蓋２４，２６，２７，２８，２９に採用してもよく、このように構成しても、その他の構成、作用、効果については先の実施例と同様であるから、図１１において前図と同一の部分には同一符号を付して、その詳しい説明を省略するが、これらの各蓋２４，２６〜２９は着脱構造に代えて、ヒンジによる開閉構造を採用してもよい。
【００４６】
図１２はゲーム用テーブルの他の実施例を示し、図１２に示すこの実施例においては図４の構成に加えて、テーブル本体２にオセロゲームのオセロ石を収納する収納部３１と、チェスゲームの複数種類の駒を一括して収納する収納部３２とを設けると共に、これら上方が開放する有底形状の収納部３１，３２を、閉成時に上面板１４の上面と面一になるように閉成する蓋３３，３４を設けたものである。
【００４７】
これらの各蓋３３，３４においても図４の実施例と同様の凹部３３ａ，３４ａが形成されている。また、上述の収納部３１，３２は図９または図１０で示した構造と同様に構成される。
【００４８】
図１２に示すこの実施例の場合には、囲碁、将棋用のゲーム盤１３の他に、オセロ、チェス用のゲーム盤３５（図１３，図１４参照）を設けている。
【００４９】
このゲーム盤３５は、その１つの片面３５ａにオセロゲーム用の譜（図１３参照）が形成され、他の片面３５ａにはチェス用の譜（図１４参照）が形成されており、リバーシブル構造によりオセロおよびチェスを行なうことができる。
【００５０】
このオセロ、チェス用のゲーム盤３５は囲碁、将棋用のゲーム盤１３に対して、一回り小型に形成され、図７で示したゲーム盤１３と下面板１５との間の空間部に２つ折りにして収納するか、あるいは支持板１７の上部にゲーム盤１３と一回り小さいゲーム盤３５とを段差状に格納する段部（図示せず）を設けて、ゲーム盤１３の下面側にゲーム盤３５を収納すべく構成するとよい。
【００５１】
図１２〜図１４で示したように構成すると、麻雀、囲碁、将棋、カードゲームの他にオセロゲーム、チェスゲームを楽しむことができ、これらの各種ゲームに必要な備品をゲーム種別毎に区分してテーブル本体２のそれぞれの収納部１９，２０，２１，２２，２３，３１，３２に収納することができる。
【００５２】
図１２〜図１４で示したこの実施例においても、その他の構成、作用、効果については先の実施例と同様であるから、図１２〜図１４において前図と同一の部分には同一符号を付して、その詳しい説明を省略する。
【００５３】
この発明の構成と、上述の実施例との対応において、  
この発明のゲーム用の備品は実施例の麻雀用の牌５１、点棒５２、碁石５３，５４、トランプカード５５、将棋の駒５６、オセロ石、チェスの駒に対応するも、
この発明は、上述の実施例の構成のみに限定されるものではない。
【００５４】
例えば、ゲーム盤１３，３５、碁石５３，５４、将棋の駒５６、オセロ石、チェスの駒についてはマグネット吸着タイプのものであってもよい。
【図面の簡単な説明】
【００５５】
【図１】本発明のゲーム用テーブルを一部断面して示す側面図
【図２】天板の片面を示す斜視図
【図３】天板の他の片面を示す斜視図
【図４】テーブル本体の斜視図
【図５】ゲーム盤の片面を示す斜視図
【図６】ゲーム盤の他の片面を示す斜視図
【図７】図４のＡ−Ａ線矢視断面図
【図８】図４のＢ−Ｂ線矢視断面図
【図９】図４のＣ−Ｃ線矢視断面図
【図１０】収納部の他の実施例を示す断面図
【図１１】蓋構造の他の実施例を示す断面図
【図１２】ゲーム用テーブルの他の実施例を示す斜視図
【図１３】ゲーム盤の片面を示す斜視図
【図１４】ゲーム盤の他の片面を示す斜視図
【符号の説明】
【００５６】
２…テーブル本体
３…天板
１３…ゲーム盤
１９〜２３…収納部
２４，２６，２７，２８，２９…蓋
５１…牌（備品）
５２…点棒（備品）
５３，５４…碁石（備品）
５５…トランプカード（備品）
５６…駒（備品）
【図１】
2006230477.tif 000003
【図２】
2006230477.tif 000004
【図３】
2006230477.tif 000005
【図４】
2006230477.tif 000006
【図５】
2006230477.tif 000007
【図６】
2006230477.tif 000008
【図７】
2006230477.tif 000009
【図８】
2006230477.tif 000010
【図９】
2006230477.tif 000011
【図１０】
2006230477.tif 000012
【図１１】
2006230477.tif 000013
【図１２】
2006230477.tif 000014
【図１３】
2006230477.tif 000015
【図１４】
2006230477.tif 000016